(57)【要約】【課題】  泡を使って屋内外で安全かつ手軽に飛翔性害虫を駆除できるとともに役目を終えた泡を簡単にしかも周囲を汚すことなく消すことができる飛翔性害虫駆除装置を提供すること。【解決手段】  界面活性剤を含む溶液を収容する泡原料容器１０と、この泡原料容器１０中の溶液を泡立てた状態で所定高さの泡吹出口から吹き出す泡供給手段２０と、この泡供給手段２０から吹き出された多数の泡をその自然流下を許容しつつ全体形が鉛直平面状となるように保持する泡平面状保持部材３０とを備え、泡平面状保持部材３０の下端部で、流下してきた多数の泡Ｑ１に空気を吹き付けて壊して溶液状態に戻す消泡手段４０を設ける。【選択図】      図１
2008011798.tif 000002
【特許請求の範囲】
【請求項１】
界面活性剤を含む溶液を収容する泡原料容器と、この泡原料容器中の溶液を泡立てた状態で所定高さの泡吹出口から吹き出す泡供給手段と、この泡供給手段から吹き出された多数の泡をその自然流下を許容しつつ全体形が鉛直平面状となるように保持する泡平面状保持部材とを備え、前記泡平面状保持部材の下端部で、流下してきた泡に空気を吹き付けて壊して溶液状態に戻す消泡手段を設けた飛翔性害虫駆除装置。
【請求項２】
界面活性剤を含む溶液を収容しかつ上部が開口された容器と、この容器中に上方へ突出するように配設された泡保持部材および泡を発生させて当該泡保持部材の上方部分へ供給可能な泡供給手段とから成る泡形成体とを有し、当該泡保持部材の下方部分で泡に空気を吹き付けて壊して溶液状態に戻す消泡手段を設けた飛翔性害虫駆除装置。
【発明の詳細な説明】
【技術分野】
【０００１】
本発明は、ハエやアブ等の飛翔性害虫を駆除するのに使用される飛翔性害虫駆除装置に関する。
【背景技術】
【０００２】
また、畜舎（牛舎,豚舎，鶏舎等）にアブやブヨが入り込んで牛・豚などを刺し、牛等に過大なストレスを与えて乳の出が悪くなったり、病気になる原因の一つとなっている。なお、牛舎等で作業する人間もアブやブヨに刺されることがあるが、刺された箇所は腫れ上がり激痛が走ることになる。
【０００３】
また、アブやブヨは、露天風呂や学校のプールなどにも出没して人間を刺すことがあり、観光業者や学校関係者の悩みの種となっている。
【０００４】
さらに、果樹園で果実（リンゴ等）が収穫まじかになると、スズメバチ等が果実を傷つけたり、その傷つけた箇所に処女バエやアブなどが卵を生みつけたりして、損害を与えることがある。
【０００５】
こうした飛翔性害虫を駆除する方法としては、ハエ等の飛翔性害虫に殺虫剤を噴霧（散布）等して駆除することが提案されている（例えば、特許文献１〜３参照）。また、ボックス内にハエ誘引剤と殺虫剤とを含ませた布を配置して当該布にハエを誘き寄せて捕獲する装置が提案されている（例えば、特許文献４参照）。
【特許文献１】特開２００３−７３２０４号
【特許文献２】特開２００３−１９２５０９号
【特許文献３】特開２００３−３２１３０５
【特許文献４】特開２００３−１８０２２３号
【発明の開示】
【発明が解決しようとする課題】
【０００６】
ところで、特許文献１〜３で提案されている殺虫剤を噴霧等して飛翔性害虫を駆除する方法は、食品を扱う場所では問題がある。
【０００７】
また、特許文献４に係る装置の場合、ハエ誘引剤と殺虫剤とを含ませた布に人（例えば幼児）が間違って触れた場合に健康を害することがある。
【０００８】
本発明の目的は、泡を使って屋内外で安全かつ手軽に飛翔性害虫を駆除できるとともに役目を終えた泡を簡単にしかも周囲を汚すことなく消すことができる飛翔性害虫駆除装置を提供することにある。
【課題を解決するための手段】
【０００９】
上記目的を達成するために、請求項１の発明は、界面活性剤を含む溶液を収容する泡原料容器と、この泡原料容器中の溶液を泡立てた状態で所定高さの泡吹出口から吹き出す泡供給手段と、この泡供給手段から吹き出された多数の泡をその自然流下を許容しつつ全体形が鉛直平面状となるように保持する泡平面状保持部材とを備え、前記泡平面状保持部材の下端部で、流下してきた泡に空気を吹き付けて壊して溶液状態に戻す消泡手段を設けた飛翔性害虫駆除装置である。
【００１０】
上記請求項１の発明の場合、泡供給手段の泡吹出口から出された多数の泡は、泡平面状保持部材によって寄り集められて、家屋等の壁のように大きな面積と厚さとを有する塊のように見えることになる。
【００１１】
ここで、ハエ等が上記平面状の泡の塊に気が付き、そこに止まろうとした場合、当該ハエ等は上記壁に止まるのと同じ勢いで泡の塊に接触し、勢い余って泡の中に飛び込んでしまう。すると、ハエは、羽根が濡れてしまい思うように飛ぶことができず、もがくうちに気門に界面活性剤入りの溶液が入り込んで呼吸ができなくなる。このように、泡でハエ等を駆除できる。
【００１２】
なお、アブ等の飛翔力が強い害虫は、泡の中に入って羽根が濡れても飛ぶ力はあまり衰えないが、見通しがきかないので外へ抜け出る方向がつかめず、最終的には泡中で窒息死することになる。
【００１３】
このように、飛翔性害虫が平面状の泡の塊に寄ってきて自滅してしまうので、安全で手間が掛からない。また、泡の塊は鉛直平面状に形成されるので、設置床面積を小さくしても十分な大きさの泡の塊を形成できる。したがって、狭い場所にも置くことができ、使い勝手がよい。また、溶液を安価かつ容易にしかも安全に作ることができる。また、害虫は、泡の中で窒息死し、泡の流下に伴って下方へ移動して泡平面状保持部材から消えるので、見苦しくない。
【００１４】
また、飛翔性害虫を窒息死させて役目を果たした泡は、吹き付けられる空気の圧力で壊れてしまい元の液体状の泡原料になるので、泡で周囲が汚れることもない。なお、空気の吹き付け量（流量）および流速を加減することで、泡を飛散させることなく、泡の再発生を防ぐことができる。また、再使用もでき、経済的である。
【００１５】
請求項２の発明は、界面活性剤を含む溶液を収容しかつ上部が開口された容器と、この容器中に上方へ突出するように配設された泡保持部材および泡を発生させて当該泡保持部材の上方部分へ供給可能な泡供給手段とから成る泡形成体とを有し、当該泡保持部材の下方部分で泡に空気を吹き付けて壊して溶液状態に戻す消泡手段を設けた飛翔性害虫駆除装置である。
【００１６】
上記請求項２の発明では、請求項１の発明の場合と同様な作用・効果を奏し得る。すなわち、泡供給手段によって泡保持部材に供給された泡は当該泡保持部材によって保持される。したがって、泡を容器の外へはみ出して周囲を汚すことなく上下方向に長く形成することができる。
【００１７】
こうして、泡保持部材によって保持された泡は、大きな塊と見え、ハエやアブ等の飛翔性害虫の目を引きつける。
【００１８】
ここで、例えばハエが大量の泡を塊と思って止まろうとすると、勢い余って泡の中に飛び込んでしまう。すると、ハエは、羽根が濡れてしまい思うように飛ぶことができず、もがくうちに気門に泡発生用液体（界面活性剤溶液）が入り込んで呼吸ができなくなる。すなわち、窒息死する。
【００１９】
なお、アブやカミキリ等の飛翔力が強い害虫は、泡の中に入って羽根が濡れても飛ぶ力はあまり衰えないが、見通しがきかないので外へ抜け出る方向がつかめず、最終的には自重によって泡中を落下して容器内の泡発生用液体（界面活性剤溶液）中または泡中で窒息死する。
【００２０】
このように、飛翔性害虫が泡の塊に寄ってきて自滅してしまうので、安全で手間が掛からない。また、泡は泡保持部材によって保持されるので、容器の外へはみ出して周囲を汚すことはない。そのため、施設や一般家庭内などで使用する場合にも、床面や畳・カーペットなどが汚れない。
【００２１】
そして、死んだ飛翔性害虫は、最終的には容器内に入るので、容器ごと処理場に持っていって廃棄処分等すればよく、後始末も簡単にかつ衛生的に行える。
【００２２】
また、飛翔性害虫を窒息死させて役目を果たした泡は、消泡手段によって吹き付けられる空気の圧力で壊れてしまい元の液体状の泡原料になるので、この点からも泡で周囲が汚れることもない。ここで、空気の吹き付け量（流量）および流速を加減することで、泡を飛散させることなく、泡の再発生を防ぐことができる。また、再使用もでき、経済的である。
【発明の効果】
【００２３】
本発明によれば、泡を使って屋内外で安全かつ手軽に飛翔性害虫を駆除できるとともに役目を終えた泡を簡単にしかも周囲を汚すことなく消すことができる。
【発明を実施するための最良の形態】
【００２４】
以下、本発明の実施の形態を図面を参照しながら説明する。
【００２５】
（第１の実施形態）
【００２６】
本発明に係る飛翔性害虫駆除装置は、図１に示すように、泡原料容器１０と、泡供給手段２０と、泡平面状保持部材３０とを有し、泡供給手段２０の泡吹出口（２５）から吹き出された多数の泡（Ｑ１）を泡平面状保持部材（３１）で自然流下を許容しつつ全体形状が鉛直平面状となるように保持する構成とされている。
【００２７】
また、本飛翔性害虫駆除装置は、泡平面状保持部材（３１）を流下してきた多数の泡（Ｑ１）を風圧で壊して溶液状態に戻す消泡手段４０を備えている。また、本飛翔性害虫駆除装置は、消泡手段４０によって泡状態から戻された溶液（Ｑ）を受け止めて回収容器９０まで案内する樋部７０が設けられている。
【００２８】
ここで、駆除対象となる飛翔性害虫としては、ハエ，アブ，ブヨ，蚊，ゴキブリ，カナブン，カブト虫，カミキリ，スズメバチ，テントウ虫，カメ虫等がある。
【００２９】
具体的には、泡原料容器１０は、界面活性剤を含む溶液Ｑを収容する容器である。この実施形態では、溶液Ｑは、ベースとなる液に所定量の界面活性剤を入れたものとされている。ここで、ベース液は、日本酒（アルコール度数１６°）と柿汁とを混ぜ合わせて作られている。混合比率は、日本酒１に対して柿汁２である。なお、柿汁を加えずに日本酒単体からベース液を構成してもよい。また、柿汁の代わりに牛乳を日本酒に混ぜ合わせてベース液を構成してもよい。日本酒に混合するものとしては、他に卵白、炭酸、砂糖、市販の害虫誘引剤等がある。また、溶液Ｑに香料を混ぜてもよい。
【００３０】
上記界面活性剤としては、人畜無害のものが使用されている。この実施形態では、アニオン界面活性剤（例えば，石鹸）が選定されている。混合比率は、ベース液１に対して界面活性剤０．０００５である。なお、他の種類の界面活性剤（非イオン界面活性剤等）を使用してもよい。また、泡発生用液体Ｑを、特定の飛翔性害虫が好む色に着色してもよい。たとえば、害虫がアブやハエの場合には白色や青色、ハチの場合には黒色、チョウチョウの場合には黄色に着色する。
【００３１】
次に、泡供給手段２０は、泡原料容器１０中の溶液Ｑを泡立てた状態で所定高さの泡吹出口（２５）から吹き出し可能に構成されている。具体的には、泡供給手段２０は、水平方向伸延部２４が枠体５の横部材（この実施形態では泡厚さ調節部材２８）によって保持された泡供給管２１と、この泡供給管２１の途中部分に介装されたポンプ２７とから形成されている。上記した枠体５は、ベース部材６と、柱部材７と、横部材（２８）とから形成されている。
【００３２】
泡供給管２１は、その一端開口部２２から泡原料容器１０内の溶液Ｑを取り入れ可能とされており、当該一端開口部２２よりも下流側の水平方向伸延部２４に複数個の泡吹出穴２５が設けられている。この泡供給管２１の各泡吹出穴２５（例えば、穴径２〜３ｍｍ）は、図６に示すように、当該管２１の下面部分に水平方向に等間隔（長さＬ)で開口形成されている。なお、上記した各泡吹出穴２５の代りに水平方向に伸延する細長いスリット〔泡吹出スリット（図示省略）〕でもよい。図６は、泡供給管２１を下から見た図である。
【００３３】
この実施形態では、図３に示すように、泡供給管２１の各泡吹出穴２５から吹き出される多数の泡Ｑ１が集まって形成される鉛直平面状の泡の塊の厚さが一定となるように調節する泡厚さ調節部材２８が設けられている。なお、この泡厚さ調節部材２８を、図５に示すように、開口部の幅寸法（最小幅寸法Ｌ０,最大幅寸法Ｌ１）を変えられるようにして、泡Ｑ１の厚さを変更可能に形成してもよい。
【００３４】
ポンプ２７は、図１に示すように、泡供給管２１の一端開口部２２と水平方向伸延部２４との間に介装されており、溶液Ｑを泡化して当該水平方向伸延部２４へ圧送可能とされている。この実施形態では、泡供給管２１の各泡吹出穴２５から同量の泡Ｑ１が吹き出すように、当該管２１の水平方向伸延部２４よりも下流側の部分に管内圧力を減圧調節可能な減圧調節部８０が設けられている。
【００３５】
具体的には、減圧調節部８０は、泡供給管２１の一部を拡径して形成された減圧部８５と、この減圧部８５よりも下流側の管部分に介装された減圧調節弁８１とからなる。この減圧調節弁８１を開放操作すれば、泡供給管２１の内圧が減少し、各泡吹出穴２５から同量の泡Ｑ１が吹き出される。泡供給管２１の他端開口部２３は、当該開口部２３から排出された泡Ｑ１が消泡手段４０によって溶液化されるような位置に設けられている。
【００３６】
次に、泡平面状保持部材３０は、泡供給手段２０から吹き出された多数の泡Ｑ１をその自然流下を許容しつつ全体形状が鉛直平面状となるように保持可能に形成されている。すなわち、多数の泡Ｑ１を保持して鉛直平面状の泡の塊を生成可能とされている。この泡平面状保持部材３０を、鉛直方向よりも少し傾いて平面状の泡の塊を生成するような構成としてもよい。
【００３７】
具体的には、泡平面状保持部材３０は、所定の面積を有する平面板材３１から形成されている。この実施形態では、平面板材３１は、透明なアクリル板から形成されている。図３に示すように、平面板材３１の片側の面に、上方の泡供給管２１の各泡吹出穴２５から吹き出された多数の泡Ｑ１が保持されて、平面状の泡の塊が生成される。
【００３８】
なお、図４に示すように、平面板材３１の両側の面に、泡供給管２１の各泡吹出穴２５から吹き出された多数の泡Ｑ１を保持して、平面状の泡の塊を生成してもよい。
【００３９】
次に、消泡手段４０は、泡平面状保持部材３０を流下してきた多数の泡Ｑ１を風圧で壊して溶液状態に戻す手段である。この実施形態では、消泡手段４０は、図１に示すように、平面板材３１の下方部分に設けられた空気吹き出し用パイプ４１と、圧縮空気発生手段９と、空気流量・流速調節手段４７と、から形成されている。
【００４０】
空気吹き出し用パイプ４１は、複数個の空気吹き出し穴４２を有しており、当該各空気吹き出し穴４２から空気流量・流速調節手段４７を介して圧縮空気発生手段９から送られてきた圧縮空気を平面板材３１に保持された泡Ｑ１に向けて吹き出し可能に構成されている。各空気吹き出し穴４２が形成されている長さ範囲（Ｌ１０）は、図７に示すように、平面板材３１の幅（横寸法）相当に選定されており、等間隔（Ｌ１１）に配置されている。なお、図７は、平面板材３１側からパイプ４１を見た図である。すなわち、空気吹き出し用パイプ４１の各空気吹き出し穴４２は、平面板材３１と対向するように形成されている。
【００４１】
こうして消泡手段４０によって、泡状態から戻された溶液Ｑは回収容器９０に収容される。この際、平面状の泡の塊の中に入って窒息死したハエ等も、一緒に流されて回収容器９０に収容される。
【００４２】
ここで、回収容器９０の低所と泡原料容器１０の低所とは、連通管９２で連通されている。したがって、回収容器９０に収容された溶液Ｑの液面高さが泡原料容器１０内の溶液Ｑの液面高さよりも高い場合には、液面高さが同一となるまで連通管９２を通して泡原料容器１０内へ溶液Ｑが流れる。この際、溶液Ｑは空気と接触しないので泡立つことはない。
【００４３】
また、上記回収容器９０には、溶液Ｑと一緒に流れてきた飛翔性害虫を捕獲する捕獲部材９５が設けられている。捕獲部材９５は、逆円錐状に形成されており、漏斗状の保持部材９６によって着脱自在に保持されている。これにより、樋部７０の排出口７１から排出される溶液Ｑの流れと捕獲部材９５（保持部材９６）の内面とのなす角度が小さくなり、溶液Ｑに衝撃力が作用しないので泡が立たない。
【００４４】
上記構成の飛翔性害虫駆除装置を用いて飛翔性害虫を駆除しようとする場合には、まず本装置を飛翔性害虫が出没する場所にセットする。
【００４５】
次に、ポンプ２７に商用電源を供給して駆動させる。これにより、泡原料容器１０内の溶液Ｑは吸い上げられ、ポンプ２７で泡化されて泡供給管２１の各泡吹出穴２５から吹き出される。この泡供給管２１の各泡吹出穴２５から吹き出された多数の泡Ｑ１は、泡平面状保持部材３０（平面板材３１）によって自然流下を許容されつつ全体形状が鉛直平面状となるように保持される。すなわち、鉛直平面状の泡の塊が生成される。この泡の塊は、家屋等の壁のように大きな面積と厚さとを有する塊のように見えることになる。ただし、上記した平面状の泡の塊は、壁とは異なり壊れやすいものである。
【００４６】
一般に、ハエ等は、床面に留まっていたり低所を飛んだりすることは少なく、壁（特に、壁の高い所）に止まっていることが多い。ここで、ハエ等が上記平面状の泡の塊に気が付き、そこに止まろうとした場合、当該ハエ等は上記壁に止まるのと同じ勢いで泡の塊に接触し、勢い余って泡の中に飛び込んでしまう。すると、ハエは、羽根が濡れてしまい思うように飛ぶことができず、もがくうちに気門に界面活性剤入り溶液Ｑが入り込んで呼吸ができなくなる。すなわち、窒息死する。
【００４７】
なお、アブ等の飛翔力が強い害虫は、平面状の泡の塊の中に入って羽根が濡れても飛ぶ力はあまり衰えないが、見通しがきかないので外へ抜け出る方向がつかめず、最終的には泡中で窒息死することになる。
【００４８】
このように、飛翔性害虫が平面状の泡の塊に寄ってきて自滅してしまうので、安全で手間が掛からない。また、泡の塊は鉛直平面状に形成されるので、設置床面積を小さくしても十分な大きさの泡の塊を形成できる。したがって、狭い場所にも置くことができ、使い勝手がよい。また、溶液Ｑを安価かつ容易にしかも安全に作ることができる。また、害虫は、泡の中で窒息死し、泡の流下に伴って下方へ移動して泡平面状保持部材３０から消えるので、見苦しくない。
【００４９】
また、飛翔性害虫を窒息死させて役目を果たした泡Ｑ１は、消泡手段４０によって吹き付けられる空気の圧力で壊れてしまい元の液体状の泡原料Ｑになるので、泡で周囲が汚れることもない。なお、空気の吹き付け量および流速を加減することで、泡Ｑ１を飛散させることなく、泡Ｑ１の再発生を防ぐことができる。また、再使用もでき、経済的である。
【００５０】
また、泡供給管２１の他端開口部２３が、当該開口部２３から排出された泡Ｑ１が消泡手段４０によって溶液化されるような位置に設けられているので、構成の簡単化を図りつつ長時間泡Ｑ１を発生させて害虫を駆除しても、周囲が泡によって汚れるようなことはない。
【００５１】
（第２の実施形態）
【００５２】
第２の実施形態に係る飛翔性害虫駆除装置は、図８に示すように、容器１１０と、泡形成体１２０と、消泡手段１４０とから構成されている。
【００５３】
具体的には、容器１１０は、上部１１１が開口されており、泡発生用液体Ｑを収容可能に形成されている。なお、泡発生用液体Ｑは、第１の実施の形態と同様組成である。
【００５４】
次に、泡形成体１２０は、容器１１０中に上方へ突出するように配設された泡保持部材（１２１）と、泡を発生させて泡保持部材（１２１）へ供給可能な泡供給手段（１３０）等とを含み、容器１１０と分離可能に形成されている。
【００５５】
この実施形態では、泡保持部材は、下部が容器１１０内の泡発生用液体Ｑ中に浸漬されたパイプ１２１から形成されている。このパイプ１２１は、その下方端および上方端が開口されており、直立状態に保持される。なお、パイプ１２１の下方端には、容器１１０内の泡発生用液体Ｑを当該パイプ１２１内へ取り入れるための液取入口（図示省略）が設けられている。
【００５６】
下方支持部材１４２は、円盤状とされており、容器１１０の上部開口部１１１を蓋した状態で泡保持部材（１２１）を直立させることができるように形成されている。
【００５７】
また、この実施形態では、泡供給手段１３１は、パイプ１２１内の下部で泡を発生させて当該泡をパイプ２１上部に形成された泡流出口Ｇから外部へ流出可能に構成されている。
【００５８】
泡供給手段１３１は、圧縮空気発生手段（例えばエアポンプ）１３２と、泡発生用液体Ｑに浸漬したパイプ１２１下端部内のエアストーン１３３と、当該圧縮空気発生手段１３２に一端部が接続されかつその他端部がエアストーン１３４に接続された接続チューブ１３３とから構成されている。
【００５９】
ここで、エアポンプ１３２を駆動して、エアストーン１３３に空気を供給すると、パイプ１２１内の下部で泡が発生する。こうして、パイプ１２１内で発生した泡は、当該パイプ１２１内を上昇して泡流出口Ｇから外部へ流出する。そして、外部流出した泡は、パイプ１２１の外周面１２２に沿って下方へゆっくりと流動する。これにより、泡がパイプ１２１の外周面１２２の全面にまとわりついて泡の塊が生成される。
【００６０】
次に、消泡手段１４０は、パイプ１２１の外周面１２２を流下してきた多数の泡を風圧で壊して溶液状態に戻す手段である。この実施形態では、消泡手段１４０は、図９に示すように、パイプ１２１の下方部分に設けられた空気吹き出し用リング１４１と、圧縮空気供給手段１４５と、空気流量・流速調節手段１４７と、から形成されている。
【００６１】
空気吹き出し用リング１４１は、パイプ１２１の下方部分の外周面１２２を取り囲むように円環状に形成されており、当該リング１４１には、複数個の空気吹き出し穴１４２が空気をパイプ１２１の外周面１２２に向けて吹き出せるように形成されている（図９に２点鎖線の矢印で空気の吹き出し方法を図示する）。各空気吹き出し穴１４２の間隔は等間隔とされており、この実施形態では８個形成されている。
【００６２】
また、圧縮空気供給手段１４５は、空気吹き出し用リング１４１に圧縮空気を送る手段で、この実施形態では、上記したエアポンプ１３２と、図８に示すように、一端部がエアポンプ１３２に接続されかつ他端部が空気吹き出し用リング１４１に接続された供給チューブ１４６とから構成されている。
【００６３】
また、空気流量調節手段１４７は、供給チューブ１４６に介装されており、空気吹き出し用リング１４１へ送る圧縮空気の流量と流速とを調節可能に形成されている。
【００６４】
しかして、この第２の実施の形態に係る発明の場合、パイプ１２１によって保持された泡は、大きな塊と見え、ハエやアブ等の飛翔性害虫の目を引きつける。そして、ハエ等が泡を塊と思って止まろうとすると、飛び込んでしまい窒息死する。なお、アブやカミキリ等の飛翔力が強い害虫でも泡の中で見通しがきかずに外へ出られずに窒息死する。
【００６５】
このように、飛翔性害虫が、泡の塊に寄ってきて自滅してしまうので、安全で手間が掛からない。また、泡はパイプ１２１の外周面によって保持されるので、容器１１０の外へはみ出して周囲を汚すようなことはない。そのため、施設や一般家庭内などで使用する場合にも、床面や畳・カーペットなどが汚れない。
【００６６】
そして、死んだ飛翔性害虫は、最終的には容器１１０内に入るので、容器１１０ごと処理場に持っていって廃棄処分等すればよく、後始末も簡単にかつ衛生的に行える。
【００６７】
また、泡を上下方向に長く形成できるので、容器１１０の設置面積を小さくしても十分な大きさの泡の塊を形成できる。したがって、狭い場所にも置くことができ、使い勝手がよい。また、泡発生用液体Ｑを安価かつ容易にしかも安全に作ることができる。
【００６８】
そして、死んだ飛翔性害虫は、最終的には容器１１０内に入るので、容器１１０ごと処理場に持っていって廃棄処分等すればよく、後始末も簡単にかつ衛生的に行える。
【００６９】
また、飛翔性害虫を窒息死させて役目を果たした泡は、消泡手段１４０によって吹き付けられる空気の圧力（風圧）で壊れてしまい元の液体状の泡原料Ｑになるので、この点からも泡で周囲が汚れることもない。ここで、空気の吹き付け量を加減することで、泡を飛散させることなく、泡の再発生を防ぐことができる。また、再使用もでき、経済的である。
【図面の簡単な説明】
【００７０】
【図１】本発明の実施の形態を説明するための全体構成図である。
【図２】泡供給管の水平方向伸延部を説明するための図である。
【図３】泡平面状保持部材の片面に形成された鉛直平面状の泡の塊を示す図である。
【図４】泡平面状保持部材の両面に形成された鉛直平面状の泡の塊を示す図である。
【図５】可変式の泡厚さ調節部材を説明するための図である。
【図６】泡供給管の各泡吹出穴を示す図である。
【図７】消泡手段（１）を説明するための図である。
【図８】第２の実施形態を説明するための図である。
【図９】消泡手段（１）を説明するための図である。
【符号の説明】
【００７１】
１０  泡原料容器
２０  泡供給手段
２１  泡供給管
２２  一端開口部
２３  他端開口部
２４  水平方向伸延部
２５  泡吹出穴
２７  ポンプ
２８  泡厚さ調節部材
３０  泡平面状保持部材
３１  平面板材
３２  シート材
３４  短冊状板材
３５  画像投影手段
４０  消泡手段
７０  樋部
９０  回収容器
９２  連通管
１４０  消泡手段
【図１】
2008011798.tif 000003
【図２】
2008011798.tif 000004
【図３】
2008011798.tif 000005
【図４】
2008011798.tif 000006
【図５】
2008011798.tif 000007
【図６】
2008011798.tif 000008
【図７】
2008011798.tif 000009
【図８】
2008011798.tif 000010
【図９】
2008011798.tif 000011